(57)【要約】  最尤系列推定回路（１０５）は、シンボル間隔よりも短いサンプル間隔で受信信号からサンプリングされた複数の受信サンプル信号の中から、先行波成分を含む受信サンプル信号と遅延波成分を含む受信サンプル信号とを推定して、推定結果に基づいて、複数の前記受信サンプル信号の中から第１の受信サンプル信号および第２の受信サンプル信号のそれぞれをシンボル間隔で抽出する信号抽出部（３００）と、抽出された前記第１の受信サンプル信号および前記第２の受信サンプル信号を用いて、最尤系列を推定する最尤系列推定部（３０１）と、を備えることを特徴とする。
2018105118.tif 000002
【特許請求の範囲】
【請求項１】
シンボル間隔よりも短いサンプル間隔で受信信号からサンプリングされた複数の受信サンプル信号の中から、先行波成分を含む受信サンプル信号と遅延波成分を含む受信サンプル信号とを推定して、推定結果に基づいて、前記複数の受信サンプル信号の中から第１の受信サンプル信号および第２の受信サンプル信号のそれぞれを前記シンボル間隔で抽出する信号抽出部と、
抽出された前記第１の受信サンプル信号および前記第２の受信サンプル信号を用いて、最尤系列を推定する最尤系列推定部と、を備えることを特徴とする最尤系列推定回路。
【請求項２】
前記信号抽出部は、前記受信サンプル信号と既知信号との間の相関演算を行って相関電力を算出し、算出された前記相関電力に基づいて、前記先行波成分を含む受信サンプル信号と前記遅延波成分を含む受信サンプル信号とを推定することを特徴とする請求項１に記載の最尤系列推定回路。
【請求項３】
前記信号抽出部は、前記相関電力が予め定められた閾値以上となる前記受信サンプル信号のアドレスに基づいて、第１の先頭アドレスおよび第２の先頭アドレスを決定し、複数の前記受信サンプル信号のうち、前記第１の先頭アドレスに対応する前記受信サンプル信号から前記シンボル間隔で抽出される前記受信サンプル信号を前記第１の受信サンプル信号とし、前記第２の先頭アドレスに対応する前記受信サンプル信号から前記シンボル間隔で抽出される前記受信サンプル信号を前記第２の受信サンプル信号とすることを特徴とする請求項２に記載の最尤系列推定回路。
【請求項４】
前記信号抽出部は、前記第１の受信サンプル信号を抽出するタイミングと前記第２の受信サンプル信号を抽出するタイミングとが重なる場合、前記第１の先頭アドレスまたは前記第２の先頭アドレスに対して、固定のサンプルオフセットを加えることを特徴とする請求項３に記載の最尤系列推定回路。
【請求項５】
前記最尤系列推定部は、
前記第１の受信サンプル信号を用いた最尤系列推定処理を行う第１の系列推定部と、
前記第２の受信サンプル信号を用いた最尤系列推定処理を行う第２の系列推定部と、
前記第１の系列推定部の処理結果および前記第２の系列推定部の処理結果のうち一方を選択する選択部と、
を有することを特徴とする請求項１から４のいずれか１項に記載の最尤系列推定回路。
【請求項６】
前記最尤系列推定部は、
前記第１の受信サンプル信号を用いてブランチメトリックを算出して第１のブランチメトリックとして出力する第１のブランチメトリック生成部と、
前記第２の受信サンプル信号を用いてブランチメトリックを算出して第２のブランチメトリックとして出力する第２のブランチメトリック生成部と、
前記第１のブランチメトリックおよび前記第２のブランチメトリックを合成した合成ブランチメトリックを生成する合成部と、
前記合成ブランチメトリックを用いて最尤系列を判定する判定部と、
を有することを特徴とする請求項１から４のいずれか１項に記載の最尤系列推定回路。
【請求項７】
請求項１から６のいずれか１項に記載の最尤系列推定回路を備えることを特徴とする受信装置。
【請求項８】
複数の受信アンテナと、
前記複数の受信アンテナのそれぞれに対応して設けられた複数の前記最尤系列推定回路とを備え、
各最尤系列推定回路は、
前記第１の受信サンプル信号を用いてブランチメトリックを算出して第１のブランチメトリックとして出力する第１のブランチメトリック生成部と、
前記第２の受信サンプル信号を用いてブランチメトリックを算出して第２のブランチメトリックとして出力する第２のブランチメトリック生成部と、
他の最尤系列推定回路が備える前記第１のブランチメトリック生成部が出力した前記第１のブランチメトリックを、自身が備える第１のブランチメトリック生成部が出力した前記第１のブランチメトリックに合成する第１のダイバーシチ合成部と、
他の最尤系列推定回路が備える第２のブランチメトリック生成部が出力した前記第２のブランチメトリックを、自身が備える第２のブランチメトリック生成部が出力した前記第２のブランチメトリックに合成する第２のダイバーシチ合成部と、をさらに備え、
合成した前記第１のブランチメトリックおよび合成した前記第２のブランチメトリックを用いて最尤系列を推定することを特徴とする請求項７に記載の受信装置。
【請求項９】
最尤系列推定回路における最尤系列推定方法であって、
シンボル間隔よりも短いサンプル間隔で受信信号からサンプリングされた複数の受信サンプル信号の中から、先行波成分を含む受信サンプル信号である第１の受信サンプル信号と遅延波成分を含む受信サンプル信号である第２の受信サンプル信号とを推定するステップと、
複数の前記受信サンプル信号の中から、前記第１の受信サンプル信号および前記第２の受信サンプル信号のそれぞれを前記シンボル間隔で抽出するステップと、
抽出された前記第１の受信サンプル信号および前記第２の受信サンプル信号を用いて、最尤系列を推定するステップと、を含むことを特徴とする最尤系列推定方法。
【発明の詳細な説明】
【技術分野】
【０００１】
本発明は、デジタル無線通信システムにおいて、受信信号の波形歪みを補正するための最尤系列推定を行う最尤系列推定回路と、最尤系列推定回路を備えた受信装置と、最尤系列推定方法とに関する。【０００２】
デジタル無線通信システムでは、マルチパス伝搬環境に起因して、遅延波が互いに符号間干渉を引き起こすために信号の波形に歪みが発生して、通信品質を劣化させる場合がある。このような波形の歪みを補正して、通信品質を改善する技術として、最尤系列推定が知られている。最尤系列推定は、伝送路インパルス応答と複数の送信シンボル列の候補とから生成された複数のレプリカ受信信号と、実際の受信信号からシンボル間隔でサンプリングされた受信サンプル信号とを比較して、正しい送信シンボル列を推定する技術である。レプリカ受信信号と受信サンプル信号との比較は、レプリカ受信信号と受信サンプル信号との差の２乗の値を用いて行われ、この値はブランチメトリックと呼ばれる。【０００３】
特許文献１には、遅延波の遅延時間がシンボル間隔の整数倍とならないような伝搬環境においても良好な通信品質を実現するために、シンボル間隔よりも短いサンプル間隔で受信信号をサンプリングした受信サンプル信号を用いて最尤系列推定を行う技術が開示されている。この技術では、シンボル間隔のＮ分の１のサンプル間隔で受信信号をサンプリングした受信サンプル信号を、受信サンプル信号間がシンボル間隔となるＮ系統の受信サンプル信号に分けて、系統ごとに生成したブランチメトリックを用いて、最尤系列推定が行われる。
【先行技術文献】
【特許文献】
【０００４】
【特許文献１】特許第２６８３６６５号公報
【発明の概要】
【発明が解決しようとする課題】
【０００５】
しかしながら、上記従来の技術によれば、Ｎ系統の受信サンプル信号の全てを用いて最尤系列推定の処理が行われている。そのため、有効な遅延波成分を含まない受信サンプル信号も用いて最尤系列推定処理が行われる。このような受信サンプル信号は、雑音を増加させてしまう原因となり、十分に通信品質を改善することができないという課題があった。また、最尤系列推定を行うために必要な、伝送路インパルス応答の推定処理およびブランチメトリック算出処理を行う回路の数は、Ｎ系統分必要となり、回路規模が増大するという課題があった。【０００６】
本発明は、上記に鑑みてなされたものであって、遅延波の遅延時間がシンボル間隔の整数倍とならないような伝搬環境であっても、回路規模の増大を抑制しながら、通信品質を改善することが可能な、最尤系列推定回路を得ることを目的とする。
【課題を解決するための手段】
【０００７】
上述した課題を解決し、目的を達成するために、本発明にかかる最尤系列推定回路は、シンボル間隔よりも短いサンプル間隔で受信信号からサンプリングされた複数の受信サンプル信号の中から、第１の受信サンプル信号および第２の受信サンプル信号のそれぞれをシンボル間隔で抽出する信号抽出部と、抽出された第１の受信サンプル信号および第２の受信サンプル信号を用いて、最尤系列を推定する最尤系列推定部とを備えることを特徴とする。信号抽出部は、先行波成分を含む受信サンプル信号と遅延波成分を含む受信サンプル信号とを推定して、推定結果に基づいて第１の受信サンプル信号および第２の受信サンプル信号を抽出する。
【発明の効果】
【０００８】
本発明にかかる最尤系列推定回路は、遅延波の遅延時間がシンボル間隔の整数倍とならないような伝搬環境であっても、回路規模の増大を抑制しながら、通信品質を改善することができるという効果を奏する。
【図面の簡単な説明】
【０００９】
【図１】本発明の実施の形態１にかかる受信装置の構成を示す図
【図２】図１に示す受信装置が受信するフレームのフォーマットを示す図
【図３】図１に示す等化部の構成を示す図
【図４】図３に示す信号抽出部の機能を説明するための図
【図５】本発明の実施の形態２にかかる受信装置の等化部の構成を示す図
【図６】本発明の実施の形態３にかかる受信装置の構成を示す図
【図７】図６に示す第１の等化部の構成を示す図
【図８】本発明の実施の形態４に係る受信装置の第１の等化部の構成を示す図
【発明を実施するための形態】
【００１０】
以下に、本発明の実施の形態にかかる最尤系列推定回路、受信装置および最尤系列推定方法を図面に基づいて詳細に説明する。なお、この実施の形態によりこの発明が限定されるものではない。
【００１１】
実施の形態１．
図１は、本発明の実施の形態１にかかる受信装置の構成を示す図である。図１に示す受信装置１０は、受信アンテナ１００と、高周波処理部１０１と、ＡＤ（Ａｎａｌｏｇ／Ｄｉｇｉｔａｌ）変換部１０２と、受信フィルタ部１０３と、受信サンプルメモリ１０４と、等化部１０５とを有する。
【００１２】
受信アンテナ１００は、図示しない送信装置から送信された高周波アナログ信号を受信する。受信アンテナ１００は、受信した高周波アナログ信号を高周波処理部１０１に入力する。高周波処理部１０１は、受信アンテナ１００から入力された高周波アナログ信号に対して、フィルタ処理およびダウンコンバートを含む高周波信号処理を行う処理回路である。高周波処理部１０１は、高周波信号処理を行ったアナログ信号をＡＤ変換部１０２に入力する。ＡＤ変換部１０２は、ＡＤコンバータであり、入力されたアナログ信号をデジタル信号に変換する処理回路である。ＡＤ変換部１０２は、デジタル信号を受信フィルタ部１０３に入力する。
【００１３】
受信フィルタ部１０３は、デジタルフィルタ処理を用いて、入力されたデジタル信号をサンプリングして受信サンプル信号を得る処理回路である。受信フィルタ部１０３は、シンボル間隔よりも短いサンプル間隔で受信信号をサンプリングする。受信フィルタ部１０３は、受信サンプル信号を受信サンプルメモリ１０４に入力する。受信サンプルメモリ１０４は、入力された受信サンプル信号を記憶するメモリである。等化部１０５は、受信サンプルメモリ１０４に書き込まれた受信サンプル信号を用いて最尤系列推定処理を実施し、復調ビットを出力する最尤系列推定回路である。高周波処理部１０１、ＡＤ変換部１０２、受信フィルタ部１０３および等化部１０５は、単一の処理回路によって実現されてもよいし、高周波処理部１０１、ＡＤ変換部１０２、受信フィルタ部１０３および等化部１０５の有する各機能がそれぞれ異なる処理回路により実現されてもよい。
【００１４】
ここで、受信アンテナ１００が信号を受信してから、受信サンプル信号が受信サンプルメモリ１０４に記憶されるまでの一連の処理は、任意の公知の技術を組み合わせて実現することができる。上記の一連の処理は、シンボル間隔よりも短いサンプル間隔でサンプリングされた受信サンプル信号が受信サンプルメモリ１０４に記憶されるように構成されればよい。例えば、高周波処理部１０１は、受信アンテナ１００が受信した高周波アナログ受信信号に対して、ダウンコンバート処理および直交検波処理を行って、Ｉ相を持つベースバンド信号とＱ相を持つベースバンド信号とを出力してもよい。このときＡＤ変換部１０２は、Ｉ相ベースバンド信号およびＱ相ベースバンド信号が入力されて、入力されたＩ相ベースバンド信号およびＱ相ベースバンド信号のそれぞれをデジタル信号に変換する。受信フィルタ部１０３は、例えばルートナイキストフィルタを用いて波形整形して、Ｉ相およびＱ相のそれぞれについて受信サンプル信号を生成して、受信サンプルメモリ１０４に記憶させる。或いは、高周波処理部１０１は、高周波アナログ受信信号を中間周波数帯の信号に変換してＡＤ変換部１０２に入力してもよい。
【００１５】
図２は、図１に示す受信装置が受信するフレームのフォーマットを示す図である。このフレーム２００は、既知系列２０１とデータ系列２０２とを含む。既知系列２０１は、受信装置１０の通信相手装置である送信装置と受信装置１０との間で予め取り決められた固定系列である。図２では、既知系列２０１はフレームの先頭に配置されているが、既知系列２０１はフレームの中央に挿入されてもよいし、既知系列２０１はフレームの末尾に配置されてもよい。既知系列２０１は、受信フレームの同期を確立する処理と、先行波成分および遅延波成分を含む受信サンプル信号を推定する処理とのために用いられる。
【００１６】
図３は、図１に示す等化部の構成を示す図である。等化部１０５は、信号抽出部３００と、最尤系列推定部３０１とを有する。最尤系列推定部３０１は、２系統の系列推定部３０２と、選択部３０３とを有する。２系統の系列推定部３０２は、第１の系列推定部３０２−１および第２の系列推定部３０２−２と称される。第１の系列推定部３０２−１と第２の系列推定部３０２−２とは、同様の構成を有している。具体的には、第１の系列推定部３０２−１は、第１の伝送路推定部５００−１と、第１のブランチメトリック生成部５０１−１と、第１の判定部５０２−１とを有する。第２の系列推定部３０２−２は、第２の伝送路推定部５００−２と、第２のブランチメトリック生成部５０１−２と、第２の判定部５０２−２とを有する。第１の系列推定部３０２−１および第２の系列推定部３０２−２は、それぞれ異なるタイミングで動作して最尤系列を推定し、選択部３０３は、２つの最尤系列推定の結果の一方を選択して復調ビットを生成する。
【００１７】
信号抽出部３００は、受信サンプルメモリ１０４に記憶された受信サンプル信号を受け取って、受けとった受信サンプル信号を用いて、受信フレーム同期処理と、最尤系列推定処理で用いられる受信サンプル信号を抽出する信号抽出処理とを行う。信号抽出部３００は、受信サンプルメモリ１０４から受け取った受信サンプル信号から既知系列２０１を検出することで、受信フレーム同期を行う。信号抽出部３００は、既知系列２０１を予め保持しており、受信サンプル信号の既知系列２０１に対する相関演算を用いて受信フレーム同期を実現することができる。既知系列２０１は、ＰＮ(Pseudo  Noise)系列のような自己相関特性のよい系列であることが望ましい。
【００１８】
信号抽出部３００は、受信サンプルメモリ１０４から受け取った受信サンプル信号の中から、第１の系列推定部３０２−１に出力される第１の受信サンプル信号と、第２の系列推定部３０２−２に出力される第２の受信サンプル信号とを抽出する。信号抽出部３００は、受信サンプル信号を用いて、先行波成分を含む受信サンプル信号と遅延波成分を含む受信サンプル信号とを推定する。遅延波が複数存在する場合、信号抽出部３００は、最も遅延している最遅延波成分を含む受信サンプル信号を推定する。推定の方法としては、例えば、受信サンプル信号と既知信号との相関演算を行う方法が挙げられる。既知信号は、例えば図２に示した既知系列２０１である。信号抽出部３００は、受信サンプル信号と既知系列２０１との間の相関演算を行い、相関電力を算出する。相関電力は、受信サンプル信号と既知系列２０１との間の類似性を示し、類似性が高いほど相関電力の値は大きくなる。信号抽出部３００は、相関電力の値に基づいて、先行波成分を含む受信サンプル信号と遅延波成分を含む受信サンプル信号とを推定する。信号抽出部３００は、相関電力の値が、予め定められた閾値以上となる受信サンプル信号を、先行波成分または遅延波成分を含んでいる信号であると判断する。信号抽出部３００は、第１の系列推定部３０２−１に受け渡す受信サンプル信号の先頭アドレスである第１の先頭アドレスと、第２の系列推定部３０２−２に受け渡す受信サンプル信号の先頭アドレスである第２の先頭アドレスとを決定する。具体的には、信号抽出部３００は、相関電力の値が閾値以上となる受信サンプル信号のサンプル位置と、シンボルレート等化におけるタップ長とに基づいて、第１の先頭アドレスおよび第２の先頭アドレスを決定する。第１の先頭アドレスおよび第２の先頭アドレスは、例えばサンプル番号により示される。
【００１９】
図４は、図３に示す信号抽出部の機能を説明するための図である。図４の横軸は、受信サンプル信号に割り振られたサンプル番号を示し、図４の縦軸は、受信サンプル信号と既知系列２０１との相関演算を行った結果算出される相関電力の大きさを示している。図４の例では、シンボルレートに対して４倍オーバーサンプルされた場合を想定しており、サンプル間隔はシンボル間隔の４分の１である。サンプル番号１およびサンプル番号７において、相関電力の値が、予め定められた閾値以上となっている。この場合、信号抽出部３００は、サンプル番号１を先行波が到達したタイミングであると判断し、サンプル番号７を遅延波が到達したタイミングであると判断する。すなわち信号抽出部３００は、サンプル番号１の受信サンプル信号を、先行波成分を含む信号であると判断し、サンプル番号７の受信サンプル信号を、遅延波成分を含む信号であると判断する。図４の例では、遅延波は、先行波に対して６サンプル遅れて受信装置１０に到達している。上記の通り受信サンプル信号のサンプル間隔は、シンボル間隔の４分の１であるため、遅延波は、先行波に対して１．５シンボル遅延で受信装置１０に到達していることになる。
【００２０】
信号抽出部３００は、推定した先行波および遅延波の到達タイミングに基づいて、シンボルレート等化におけるタップ長を決定する。シンボルレート等化におけるタップ長は、受信された先行波と遅延波とが全て後段の最尤系列推定部３０１において等化されるように、推定された先行波と遅延波とのサンプル間隔以上となるように決定される。図４の例では、先行波と遅延波とのサンプル間隔は６サンプルであり、１．５シンボルであるため、信号抽出部３００は、シンボルレート等化におけるタップ長を３とすることができる。シンボルレート等化におけるタップ長は、第１の系列推定部３０２−１および第２の系列推定部３０２−２で共通して用いられる。信号抽出部３００は、シンボルレート等化におけるタップ長を第１の系列推定部３０２−１および第２の系列推定部３０２−２に出力する。
【００２１】
また、信号抽出部３００は、推定した先行波および遅延波の到達タイミングと、シンボルレート等化におけるタップ長とに基づいて、先行波成分を含む受信サンプル信号および遅延波成分を含む受信サンプル信号が後段の最尤系列推定部３０１に入力されるように、第１の先頭アドレスおよび第２の先頭アドレスを決定する。具体的には、信号抽出部３００は、シンボルレート等化におけるタップ長の第１番目のタップである先行波タップに対して、推定した先行波タイミングが一致するように、第１の先頭アドレスを算出する。図４に示す例では、第１の先頭アドレスは、サンプル番号１となる。信号抽出部３００は、受信サンプルメモリ１０４から受け取った受信サンプル信号のうち、第１の先頭アドレスに対応する受信サンプル信号からシンボル間隔で受信サンプル信号を抽出して、抽出した受信サンプル信号を第１の受信サンプル信号として出力する。オーバーサンプルレートが４倍であるとき、信号抽出部３００は、４サンプルごとに受信サンプル信号を抽出する。この結果、シンボルレート等化におけるタップ長の第１番目のタップにはサンプル番号１が割り当てられ、第２番目のタップにはサンプル番号５が割り当てられ、第３番目のタップにはサンプル番号９が割り当てられる。信号抽出部３００は、シンボルレート等化におけるタップ長の第３番目のタップである最遅延波タップに対して、推定した最遅延波のタイミングが一致するように、第２の先頭アドレスを算出する。図４に示す例では、第３番目のタップに対してサンプル番号７のタイミングが一致するように、第２の先頭アドレスが決定される。第２の先頭アドレスは、第１番目のタップに対して割り当てられる受信サンプル信号のアドレスであり、図示しないサンプル番号−１となる。信号抽出部３００は、受信サンプルメモリ１０４から受け取った受信サンプル信号のうち、第２の先頭アドレスに対応する受信サンプル信号からシンボル間隔で受信サンプル信号を抽出して、抽出した受信サンプル信号を第２の受信サンプル信号として出力する。この結果、シンボルレート等化におけるタップ長の第１番目のタップにはサンプル番号−１が割り当てられ、第２番目のタップにはサンプル番号３が割り当てられ、第３番目のタップにはサンプル番号７が割り当てられる。
【００２２】
第１の系列推定部３０２−１および第２の系列推定部３０２−２の構成は同様であり、入力される受信サンプル信号が異なるだけで、入力された受信サンプル信号に対して行う処理は同様であるため、以下、第１の系列推定部３０２−１の機能を説明する。
【００２３】
第１の系列推定部３０２−１は、ビタビアルゴリズムに基づくシンボルレートで動作する最尤系列推定を行う。例えば、第１の系列推定部３０２−１は、ＭＬＳＥ（Maximum  Likelihood  Sequence  Estimation）またはＤＦＳＥ（Decision  Feedback  Sequence  Estimation）といった方式を用いる。第１の系列推定部３０２−１には、受信サンプルメモリ１０４に記憶されている受信サンプル信号のうち、信号抽出部３００において抽出された第１の受信サンプル信号が入力される。第１の系列推定部３０２−１は、処理結果として、復調ビットと、復調ビットに対応するパスメトリックとを選択部３０３に出力する。
【００２４】
第１の伝送路推定部５００−１は、信号抽出部３００が出力した第１の受信サンプル信号をシンボル間隔で受け付ける。第１の伝送路推定部５００−１は、受け付けた第１の受信サンプル信号の既知系列２０１に対応する箇所を用いて、伝送路インパルス応答を推定する処理をシンボル間隔で実行する。第１の伝送路推定部５００−１が用いる伝送路推定処理の方法には、任意の公知技術を用いることができる。例えば、文献「堀越淳監修，ディジタル移動通信のための波形等化技術，トリケップス」には、最小２乗法を用いた伝送インパルス応答を導出する方法が開示されている。この方法では、推定した伝送路インパルス応答と既知信号とから生成されるレプリカと、受信した既知信号との誤差電力が最小になるように、伝送インパルス応答を導出する。第１の伝送路推定部５００−１は、伝送路インパルス応答を、信号抽出部３００から受け取るシンボルレート等化におけるタップ長まで算出してもよい。また、第１の伝送路推定部５００−１は、伝送路インパルス応答を、受信装置１０が想定する最大の伝送路インパルス応答であり、固定の値であるＬまで算出してもよい。信号抽出部３００から受け取るシンボルレート等化におけるタップ長がＬよりも大きい場合、第１の伝送路推定部５００−１は、伝送路インパルス応答をＬとしてもよい。第１の伝送路推定部５００−１は、算出した伝送路インパルス応答を第１のブランチメトリック生成部５０１−１に出力する。
【００２５】
第１のブランチメトリック生成部５０１−１は、信号抽出部３００が出力した第１の受信サンプル信号をシンボル間隔で受け付け、第１の伝送路推定部５００−１が出力した伝送路インパルス応答を受け付ける。第１のブランチメトリック生成部５０１−１は、受け付けた第１の受信サンプル信号および伝送路インパルス応答に基づいて、ブランチメトリックを生成して第１のブランチメトリックとして出力する。第１のブランチメトリックは、具体的には、変調シンボル候補から生成されるレプリカ受信信号と、受信サンプル信号との差の２乗である。
【００２６】
第１のブランチメトリック生成部５０１−１は、信号抽出部３００が出力したシンボルレート等化におけるタップ長分の伝送路インパルス応答に基づいて、レプリカ受信信号を生成する。例えばシンボルレート等化におけるタップ長が３である場合、３シンボル分の伝送路インパルス応答をｈ［０］、ｈ［１］、ｈ［２］と表し、ｎシンボル目の変調シンボル候補をｓ［ｎ］とした場合、レプリカ受信信号ｒ´［ｎ］は、次式（１）で表される。
ｒ´［ｎ］＝ｈ［０］ｓ［ｎ］＋ｈ［１］ｓ［ｎ−１］＋ｈ［２］ｓ［ｎ−２］      …（１）
ｎシンボル目の受信サンプル信号をｒ［ｎ］とした場合、ブランチメトリックは、次式（２）で表される。
｜ｒ［ｎ］−ｒ´［ｎ］｜２      …（２）
【００２７】
第１の判定部５０２−１は、第１のブランチメトリック生成部５０１−１が出力した第１のブランチメトリックを受け付けて、ビタビアルゴリズムを用いて、シンボル間隔で入力される一連の受信サンプル信号と最も誤差が小さくなる変調シンボル候補を判定する。具体的には、変調多値数がＭ、伝送路インパルス応答長がＬの場合、第１の判定部５０２−１は、ＭＬ通りの状態を有するトレリス線図を仮定して、トレリス線図に沿って受信サンプル信号とレプリカ受信信号との２乗誤差が最小となる系列を判定する。ＱＰＳＫ（Quadrature  Phase  Shift  Keying）変調の場合、変調多値数Ｍ＝４である。第１の判定部５０２−１は、Ｐが最尤系列推定の対象となる系列長以下の整数である場合、各状態に対して過去Ｐシンボル分の生き残りパス情報とパスメトリックとを保持する。第１のブランチメトリック生成部５０１−１では、トレリス線図上においてｎ−１シンボル目の状態からｎシンボル目の状態に遷移するパスに対応するブランチメトリックが生成される。第１の判定部５０２−１は、第１のブランチメトリックと、対応する状態に紐づけられたパスメトリックとを加算する。第１の判定部５０２−１は、ｎ−１シンボル目からｎシンボル目への遷移に関連するブランチメトリックとパスメトリックとの加算を全て終えた後、各状態のパスのうち、加算後のパスメトリックが小さいものを生き残りパスとして残す。第１の判定部５０２−１は、生き残りパスに対応したｎシンボル目の変調シンボル候補を、生き残りパス情報として保持すると共に、生き残りパス情報として保持されているシンボルのうち、最も小さいパスメトリックに対応したシンボルを判定シンボルとして出力する。また第１の判定部５０２−１は、判定シンボルの出力と共に、最も小さいパスメトリックも出力する。この構成により、ｎシンボル目のパスメトリック更新によってｎ−Ｐシンボル目の判定シンボルが確定することになる。第１の判定部５０２−１は、上記の処理を、最尤系列推定の対象となる系列長が全て処理されるまで、逐次実行する。
【００２８】
第１の系列推定部３０２−１に関する上記の説明は、第２の系列推定部３０２−２の説明として読み替えることができる。上記の説明中において、第１の系列推定部３０２−１、第１の伝送路推定部５００−１、第１のブランチメトリック生成部５０１−１、第１の判定部５０２−１および第１の受信サンプル信号を、第２の系列推定部３０２−２、第２の伝送路推定部５００−２、第２のブランチメトリック生成部５０１−２、第２の判定部５０２−２および第２の受信サンプル信号とそれぞれ読み替えることができる。このとき、第１のブランチメトリック生成部５０１−１が出力する第１のブランチメトリックは、第２のブランチメトリックと読み替えて、第２の判定部５０２−２は、第２のブランチメトリックに基づいて最尤系列を判定する。これにより、第１の系列推定部３０２−１および第２の系列推定部３０２−２は、それぞれが判定シンボルと判定シンボルに対応するパスメトリックとを出力することになる。以下、第１の系列推定部３０２−１が出力するパスメトリックを第１のパスメトリックと称し、第２の系列推定部３０２−２が出力するパスメトリックを第２のパスメトリックと称する。
【００２９】
選択部３０３は、第１の系列推定部３０２−１が出力する第１のパスメトリックと、第１のパスメトリックに対応する判定シンボル、および、第２の系列推定部３０２−２が出力する第２のパスメトリックと、第２のパスメトリックに対応する判定シンボルを受け付ける。選択部３０３は、第１のパスメトリックと第２のパスメトリックとを比較して、値が小さい方に対応する判定シンボルを選択する。選択部３０３は、選択された判定シンボルに基づいて受信信号をビットに変換して復調ビットとして出力する。
【００３０】
以上説明したように、本実施の形態１によれば、信号抽出部３００は、シンボル間隔よりも短いサンプル間隔で受信信号からサンプリングされた受信サンプル信号の中から、先行波成分を含む受信サンプル信号と遅延波成分を含む受信サンプル信号とを推定する。そして推定結果に基づいて、最尤系列推定部３０１に入力される第１の受信サンプル信号および第２の受信サンプル信号が抽出される。そして、最尤系列推定部３０１は、抽出された第１の受信サンプル信号および第２の受信サンプル信号を用いて最尤系列を推定する。これにより、オーバーサンプルされた受信サンプル信号のうち、最尤系列推定の処理において、必ずしも有効ではないサンプルタイミングの信号を用いることを避けることができるため、雑音を抑制した良好な通信品質を実現することができる。例えば、図４の例において、シンボルレート等化におけるタップ長３に対してサンプル番号２、６、１０の受信サンプル信号が抽出された場合、これらの受信サンプル信号には有効な遅延波成分が含まれない。本実施の形態によれば、このような受信サンプル信号を用いて最尤系列推定の処理が行われることを避けることができる。また、サンプル間隔を短くして受信サンプル信号をより多く生成した場合であっても、その中から抽出された２系統の受信サンプル信号を用いて最尤系列推定処理を行うことができる。このため、伝送路推定処理、ブランチメトリック生成処理などを行う回路を２系統とすることができ、回路規模の増大を抑制することができる。
【００３１】
最尤系列推定部３０１は、具体的には、第１の受信サンプル信号を用いた最尤系列推定処理を行う第１の系列推定部３０２−１と、第２の受信サンプル信号を用いた最尤系列推定処理を行う第２の系列推定部３０２−２と、第１の系列推定部３０２−１の処理結果および第２の系列推定部３０２−２の処理結果のうち一方を選択する選択部３０３とを有する。この構成により、異なる受信サンプル信号に基づいてそれぞれ行われた最尤系列推定処理の処理結果のうちより尤もらしい処理結果を選択することができる。このため、通信品質を向上させることが可能になる。
【００３２】
上記の実施の形態１では、第１の系列推定部３０２−１および第２の系列推定部３０２−２は、一般的な最尤系列推定を行うこととしたが、本発明はかかる例に限定されない。最尤系列推定のために用いる方法は、トレリス線図に沿って系列推定を行う方式のアルゴリズムを用いるものであれば任意の方法であってよい。例えば、広く知られたＭアルゴリズムなどを用いた演算量削減型のアルゴリズムが用いられてもよい。
【００３３】
また上記の実施の形態１では、信号抽出部３００は、相関電力が予め定められた閾値以上となる受信サンプル信号のサンプル位置を示すアドレスに基づいて、第１の先頭アドレスおよび第２の先頭アドレスを決定する。そして、第１の先頭アドレスに対応する受信サンプル信号からシンボル間隔で抽出した受信サンプル信号を第１の受信サンプル信号とし、第２の先頭アドレスに対応する受信サンプル信号からシンボル間隔で抽出した受信サンプル信号を第２の受信サンプル信号とする。しかしながらこの場合、第１の受信サンプル信号を抽出するタイミングと第２の受信サンプル信号を抽出するタイミングとが重なってしまう場合があり、この場合、第１の系列推定部３０２−１の処理結果と第２の系列推定部３０２−２の処理結果とが同一となってしまう。このため、信号抽出部３００は、第１の受信サンプル信号を抽出するタイミングと第２の受信サンプル信号を抽出するタイミングとが重なる場合、つまり、第１の先頭アドレスと第２の先頭アドレスとの間隔がシンボル間隔の整数倍となる場合、第１の先頭アドレスまたは第２の先頭アドレスに対して固定のサンプルオフセットを加えてもよい。固定のサンプルオフセットは、例えば０．５シンボル以下とすることが望ましい。これにより、先行波成分を含む受信サンプル信号と遅延波成分を含む受信サンプル信号との推定誤差が生じた場合であっても、第１の受信サンプル信号と第２の受信サンプル信号とを抽出するタイミングにずれを生じさせることができる。
【００３４】
実施の形態２．
図５は、本発明の実施の形態２にかかる受信装置の等化部の構成を示す図である。本実施の形態２にかかる受信装置の構成は、実施の形態１にかかる受信装置１０と同様であるため説明を省略する。図５に示す等化部１０５は、信号抽出部３００と、最尤系列推定部３０１とを有する。図５に示す等化部１０５は、図３に示す等化部１０５と比較して、最尤系列推定部３０１の構成が異なる。以下、図３に示す等化部１０５と異なる点について主に説明する。
【００３５】
図５に示す最尤系列推定部３０１は、第１の伝送路推定部５００−１と、第２の伝送路推定部５００−２と、第１のブランチメトリック生成部５０１−１と、第２のブランチメトリック生成部５０１−２と、合成部６００と、判定部５０２とを有する。第１の伝送路推定部５００−１と、第２の伝送路推定部５００−２と、第１のブランチメトリック生成部５０１−１と、第２のブランチメトリック生成部５０１−２とは、実施の形態１と同様であるためここでは説明を省略する。
【００３６】
合成部６００は、第１のブランチメトリック生成部５０１−１が出力する第１のブランチメトリックおよび第２のブランチメトリック生成部５０１−２が出力する第２のブランチメトリックを合成した合成ブランチメトリックを生成する。合成部６００は、生成した合成ブランチメトリックを判定部５０２に出力する。
【００３７】
判定部５０２は、第１のブランチメトリックの代わりに合成ブランチメトリックを用いる点を除いて、実施の形態１で説明した第１の判定部５０２−１と同様の機能を有する。
【００３８】
以上説明したように、実施の形態２に係る等化部１０５は、伝送路推定部５００およびブランチメトリック生成部５０１を２系統有し、２系統から出力されるブランチメトリックは、合成部６００において合成されて、合成ブランチメトリックが判定部５０２に出力される。この場合、判定部５０２が１系統でよいため、実施の形態１で示した等化部１０５よりもさらに回路規模を小さくすることができる。
【００３９】
実施の形態３．
図６は、本発明の実施の形態３にかかる受信装置の構成を示す図である。図６に示す受信装置２０は、複数系統、具体的には２系統の受信アンテナを備え、受信ダイバーシチ構成を有する。具体的には、受信装置２０は、２つの受信アンテナ１００−１および受信アンテナ１００−２と、受信アンテナ１００−１および受信アンテナ１００−２のそれぞれに対応して設けられた第１の等化部７００−１および第２の等化部７００−２とを有する。受信アンテナ１００−１と第１の等化部７００−１との間には、高周波処理部１０１−１と、ＡＤ変換部１０２−１と、受信フィルタ部１０３−１と、受信サンプルメモリ１０４−１とが設けられている。受信アンテナ１００−２と第２の等化部７００−２との間には、高周波処理部１０１−２と、ＡＤ変換部１０２−２と、受信フィルタ部１０３−２と、受信サンプルメモリ１０４−２とが設けられている。高周波処理部１０１−１、ＡＤ変換部１０２−１、受信フィルタ部１０３−１および受信サンプルメモリ１０４−１は、高周波処理部１０１−２、ＡＤ変換部１０２−２、受信フィルタ部１０３−２および受信サンプルメモリ１０４−２と同様の構成であってよい。これらは、実施の形態１で説明した高周波処理部１０１、ＡＤ変換部１０２、受信フィルタ部１０３および受信サンプルメモリ１０４を用いることができる。
【００４０】
図７は、図６に示す第１の等化部の構成を示す図である。第１の等化部７００−１は、信号抽出部３００と、第１の伝送路推定部５００−１と、第１のブランチメトリック生成部５０１−１と、第１のダイバーシチ合成部８００−１と、第１の判定部５０２−１とを有する。第１の等化部７００−１は、さらに、第２の伝送路推定部５００−２と、第２のブランチメトリック生成部５０１−２と、第２のダイバーシチ合成部８００−２と、第２の判定部５０２−２と、選択部３０３とを有する。ここで、実施の形態１と同様の構成要素については共通の符号を付することで詳細な説明は省略し、以下、差異部分について主に説明する。
【００４１】
第１のブランチメトリック生成部５０１−１が出力する第１のブランチメトリックは、第１の等化部７００−１が有する第１のダイバーシチ合成部８００−１および第２の等化部７００−２が有する第１のダイバーシチ合成部８００−１に出力される。第２のブランチメトリック生成部５０１−２が出力する第２のブランチメトリックは、第１の等化部７００−１が有する第２のダイバーシチ合成部８００−２および第２の等化部７００−２が有する第２のダイバーシチ合成部８００−２に出力される。
【００４２】
第１のダイバーシチ合成部８００−１には、第１の等化部７００−１が有する第１のブランチメトリック生成部５０１−１が出力した第１のブランチメトリックと、第２の等化部７００−２が有する第１のブランチメトリック生成部５０１−１が出力した第１のブランチメトリックとが入力される。第１のダイバーシチ合成部８００−１は、第１の等化部７００−１が有する第１のブランチメトリック生成部５０１−１が出力した第１のブランチメトリックと、第２の等化部７００−２が有する第１のブランチメトリック生成部５０１−１が出力した第１のブランチメトリックとを加算して、第１の判定部５０２−１に出力する。ここで第１のダイバーシチ合成部８００−１は、同一のシンボル時間であって、トレリス線図上で同一の状態遷移に対応する第１のブランチメトリックを足し合わせる。
【００４３】
第２のダイバーシチ合成部８００−２には、第１の等化部７００−１が有する第２のブランチメトリック生成部５０１−２が出力した第２のブランチメトリックと、第２の等化部７００−２が有する第２のブランチメトリック生成部５０１−２が出力した第２のブランチメトリックとが入力される。第２のダイバーシチ合成部８００−２は、第１の等化部７００−１が有する第２のブランチメトリック生成部５０１−２が出力した第２のブランチメトリックと、第２の等化部７００−２が有する第２のブランチメトリック生成部５０１−２が出力した第２のブランチメトリックとを加算して、第２の判定部５０２−２に出力する。ここで第２のダイバーシチ合成部８００−２は、同一のシンボル時間であって、トレリス線図上で同一の状態遷移に対応する第２のブランチメトリックを足し合わせる。
【００４４】
第１の判定部５０２−１、第２の判定部５０２−２および選択部３０３は、実施の形態１と同様の処理を実行して、選択部３０３から復調ビットが出力される。第２の等化部７００−２は、第１の等化部７００−１と同様の構成を有するが、選択部３０３の出力は、後段で使用されることがなく、外部に出力する必要がない点が異なる。
【００４５】
以上説明したように、本発明の実施の形態３によれば、複数系統の受信アンテナを備える受信装置２０においても、信号抽出部３００で抽出された第１の受信サンプル信号および第２の受信サンプル信号を用いて、最尤系列推定処理が行われる。このとき、最尤系列推定処理中で生成されるブランチメトリックは、複数の受信アンテナの系統間で合成される。したがって、回路規模の増大を抑制しつつ、通信品質を改善することが可能である。
【００４６】
実施の形態４．
図８は、本発明の実施の形態４に係る受信装置の第１の等化部の構成を示す図である。本実施の形態４に係る受信装置の構成は、図６に示す受信装置２０と同様であるため、ここでは説明を省略する。本実施の形態４に係る第１の等化部７００−１は、信号抽出部３００と、第１の伝送路推定部５００−１と、第１のブランチメトリック生成部５０１−１と、第１のダイバーシチ合成部８００−１とを有する。第１の等化部７００−１は、第２の伝送路推定部５００−２と、第２のブランチメトリック生成部５０１−２と、第２のダイバーシチ合成部８００−２と、合成部６００と、判定部５０２とをさらに有する。つまり、本実施の形態４に係る第１の等化部７００−１は、実施の形態３に係る第１の等化部７００−１の第１の判定部５０２−１、第２の判定部５０２−２および選択部３０３の代わりに、合成部６００と判定部５０２とを有する。
【００４７】
第１のダイバーシチ合成部８００−１は、合成した第１のブランチメトリックを合成部６００に出力し、第２のダイバーシチ合成部８００−２は、合成した第２のブランチメトリックを合成部６００に出力する。合成部６００は、合成された第１のブランチメトリックと、合成された第２のブランチメトリックとを合成した合成ブランチメトリックを生成する。合成部６００は、生成した合成ブランチメトリックを判定部５０２に出力する。判定部５０２は、合成部６００が出力した合成ブランチメトリックを受け付けて、合成ブランチメトリックに基づいて最尤系列判定処理を行い、最尤系列判定処理の結果として生成した復調ビットを出力する。
【００４８】
本実施の形態４によれば、実施の形態３と同様に通信品質を改善することができると共に、実施の形態３の構成から判定部を１系統とすることができるため、実施の形態３の構成よりもさらに回路規模を小さくすることができる。
【００４９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５０】
１０，２０  受信装置、１００，１００−１，１００−２  受信アンテナ、１０１，１０１−１，１０１−２  高周波処理部、１０２，１０２−１，１０２−２  ＡＤ変換部、１０３，１０３−１，１０３−２  受信フィルタ部、１０４，１０４−１，１０４−２  受信サンプルメモリ、１０５  等化部、２００  フレーム、２０１  既知系列、２０２  データ系列、３００  信号抽出部、３０１  最尤系列推定部、３０２  系列推定部、３０２−１  第１の系列推定部、３０２−２  第２の系列推定部、３０３  選択部、５００  伝送路推定部、５００−１  第１の伝送路推定部、５０１  ブランチメトリック生成部、５０１−１  第１のブランチメトリック生成部、５０２  判定部、５０２−１  第１の判定部、５０２−２  第２の判定部、６００  合成部、７００  等化部、７００−１  第１の等化部、７００−２  第２の等化部、８００−１  第１のダイバーシチ合成部、８００−２  第２のダイバーシチ合成部。
【図１】
2018105118.tif 000003
【図２】
2018105118.tif 000004
【図３】
2018105118.tif 000005
【図４】
2018105118.tif 000006
【図５】
2018105118.tif 000007
【図６】
2018105118.tif 000008
【図７】
2018105118.tif 000009
【図８】
2018105118.tif 000010
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
シンボル間隔よりも短いサンプル間隔で受信信号からサンプリングされた複数の受信サンプル信号の中から、先行波成分を含む受信サンプル信号と遅延波成分を含む受信サンプル信号とを推定して、推定結果に基づいて、前記複数の受信サンプル信号の中から、前記先行波成分を含む第１の受信サンプル信号および前記遅延波成分を含む第２の受信サンプル信号のそれぞれを前記シンボル間隔で抽出する信号抽出部と、
抽出された前記第１の受信サンプル信号および前記第２の受信サンプル信号を用いて、最尤系列を推定する最尤系列推定部と、
を備え、
前記信号抽出部は、前記推定した先行波の到達タイミングと前記推定した遅延波の到達タイミングとのサンプル間隔以上となる前記シンボル間隔のタップ数を決定し、
前記最尤系列推定部は、前記タップ数に基づいて前記最尤系列を推定することを特徴とする最尤系列推定回路。
【請求項２】
前記信号抽出部は、前記受信サンプル信号と既知信号との間の相関演算を行って相関電力を算出し、算出された前記相関電力に基づいて、前記先行波成分を含む受信サンプル信号と前記遅延波成分を含む受信サンプル信号とを推定することを特徴とする請求項１に記載の最尤系列推定回路。
【請求項３】
前記信号抽出部は、前記相関電力が予め定められた閾値以上となる前記受信サンプル信号のアドレスに基づいて、第１の先頭アドレスおよび第２の先頭アドレスを決定し、複数の前記受信サンプル信号のうち、前記第１の先頭アドレスに対応する前記受信サンプル信号から前記シンボル間隔で抽出される前記受信サンプル信号を前記第１の受信サンプル信号とし、前記第２の先頭アドレスに対応する前記受信サンプル信号から前記シンボル間隔で抽出される前記受信サンプル信号を前記第２の受信サンプル信号とすることを特徴とする請求項２に記載の最尤系列推定回路。
【請求項４】
前記信号抽出部は、前記第１の受信サンプル信号を抽出するタイミングと前記第２の受信サンプル信号を抽出するタイミングとが重なる場合、前記第１の先頭アドレスまたは前記第２の先頭アドレスに対して、固定のサンプルオフセットを加えることを特徴とする請求項３に記載の最尤系列推定回路。
【請求項５】
前記最尤系列推定部は、
前記第１の受信サンプル信号を用いた最尤系列推定処理を行う第１の系列推定部と、
前記第２の受信サンプル信号を用いた最尤系列推定処理を行う第２の系列推定部と、
前記第１の系列推定部の処理結果および前記第２の系列推定部の処理結果のうち一方を選択する選択部と、
を有することを特徴とする請求項１から４のいずれか１項に記載の最尤系列推定回路。
【請求項６】
前記最尤系列推定部は、
前記第１の受信サンプル信号を用いてブランチメトリックを算出して第１のブランチメトリックとして出力する第１のブランチメトリック生成部と、
前記第２の受信サンプル信号を用いてブランチメトリックを算出して第２のブランチメトリックとして出力する第２のブランチメトリック生成部と、
前記第１のブランチメトリックおよび前記第２のブランチメトリックを合成した合成ブランチメトリックを生成する合成部と、
前記合成ブランチメトリックを用いて最尤系列を判定する判定部と、
を有することを特徴とする請求項１から４のいずれか１項に記載の最尤系列推定回路。
【請求項７】
請求項１から６のいずれか１項に記載の最尤系列推定回路を備えることを特徴とする受信装置。
【請求項８】
複数の受信アンテナと、
前記複数の受信アンテナのそれぞれに対応して設けられた複数の前記最尤系列推定回路とを備え、
各最尤系列推定回路は、
前記第１の受信サンプル信号を用いてブランチメトリックを算出して第１のブランチメトリックとして出力する第１のブランチメトリック生成部と、
前記第２の受信サンプル信号を用いてブランチメトリックを算出して第２のブランチメトリックとして出力する第２のブランチメトリック生成部と、
他の最尤系列推定回路が備える前記第１のブランチメトリック生成部が出力した前記第１のブランチメトリックを、自身が備える第１のブランチメトリック生成部が出力した前記第１のブランチメトリックに合成する第１のダイバーシチ合成部と、
他の最尤系列推定回路が備える第２のブランチメトリック生成部が出力した前記第２のブランチメトリックを、自身が備える第２のブランチメトリック生成部が出力した前記第２のブランチメトリックに合成する第２のダイバーシチ合成部と、をさらに備え、
合成した前記第１のブランチメトリックおよび合成した前記第２のブランチメトリックを用いて最尤系列を推定することを特徴とする請求項７に記載の受信装置。
【請求項９】
最尤系列推定回路における最尤系列推定方法であって、
シンボル間隔よりも短いサンプル間隔で受信信号からサンプリングされた複数の受信サンプル信号の中から、先行波成分を含む受信サンプル信号である第１の受信サンプル信号と遅延波成分を含む受信サンプル信号である第２の受信サンプル信号とを推定するステップと、
推定した先行波の到達タイミングと推定した遅延波の到達タイミングとのサンプル間隔以上となる前記シンボル間隔のタップ数を決定するステップと、
複数の前記受信サンプル信号の中から、前記第１の受信サンプル信号および前記第２の受信サンプル信号のそれぞれを前記シンボル間隔で抽出するステップと、
抽出された前記第１の受信サンプル信号および前記第２の受信サンプル信号を用いて、前記タップ数に基づいて最尤系列を推定するステップと、を含むことを特徴とする最尤系列推定方法。
【請求項１０】
シンボル間隔よりも短いサンプル間隔で受信信号からサンプリングされた複数の受信サンプル信号の中から、先行波成分を含む受信サンプル信号と遅延波成分を含む受信サンプル信号とを推定して、推定結果に基づいて前記複数の受信サンプル信号の中から第１の受信サンプル信号および第２の受信サンプル信号のそれぞれを前記シンボル間隔で抽出する信号抽出部と、
抽出された前記第１の受信サンプル信号および前記第２の受信サンプル信号を用いて、最尤系列を推定する最尤系列推定部と、を備え、
前記信号抽出部は、前記第１の受信サンプル信号を抽出するタイミングと前記第２の受信サンプル信号を抽出するタイミングとが重なる場合、前記第１の受信サンプル信号の先頭アドレスである第１の先頭アドレスまたは前記第２の受信サンプル信号の先頭アドレスである第２の先頭アドレスに対して、固定のサンプルオフセットを加えることを特徴とする最尤系列推定回路。
【国際調査報告】
2018105118.tif 000011
2018105118.tif 000012
2018105118.tif 000013
2018105118.tif 000014